(57)【要約】【課題】  第１の場所で入力されたデータを第２の場所で編集することを選択的に防止し、正しくないデータ構造内に収集されたデータを、訂正したデータ構造にマッピングし直すように規定し、病院内コンピュータ・システムにおけるデータの不整合を調整する。【解決手段】  医学的画像収集ワークステーション（１４）と連結する病院情報システム（ＨＩＳ）（１２）内の患者データ構造（１９）に患者及び手順データを入力する。データがＨＩＳで入力されたことを示す標識を患者データ構造に関連させ、患者データ構造をワークステーションに選択的に伝送する。ワークステーションで標識の状態をチェックし、標識がオンである場合、ワークステーションで患者データ構造を編集することが無効にされる。【選択図】        図４
2004167235.tif 000002
【特許請求の範囲】
【請求項１】
医学的画像収集ワークステーション（１４）においてデータを調整する方法であって、
医学的画像収集ワークステーション（１４）を病院情報システム（ＨＩＳ）（１２）に連結するステップと、
前記ＨＩＳ（１２）内の患者データ構造（１９）に患者及び手順データを入力し記憶するステップと、
データが前記ＨＩＳ（１２）で入力されたことを示す標識を前記患者データ構造（１９）に関連させるステップと、
前記患者データ構造（１９）を前記ワークステーション（１４）に選択的に伝送するステップと、
前記ワークステーションで前記標識の状態をチェックするステップと、
前記標識がオンである場合、前記ワークステーション（１４）で前記患者データ構造（１９）を編集することを無効にするステップと、
を有している方法。
【請求項２】
更に、前記ワークステーション（１４）でエラー、訂正、又は追加の要件について前記患者データ構造（１９）を再検討するステップと、
前記患者データ構造（１９）を前記ＨＩＳ（１２）で修正することを要求するステップと、
修正したデータを前記ＨＩＳ（１２）で入力し、修正した患者データ構造（３９）を前記ワークステーション（１４）に伝送するステップと、
データを前記患者データ構造（１９）から前記修正した患者データ構造（３９）へマッピングし直すための患者編集ツールを提供するステップと
を含んでいる請求項１記載の方法。
【請求項３】
更に、前記修正した患者データ構造（３９）が提供された後に前記患者データ構造（１９）を削除するようにユーザに催促するメッセージを前記ワークステーション（１４）で供給するステップを含んでいる請求項１記載の方法。
【請求項４】
更に、前記修正した患者データ構造（３９）を得る前に画像データ（２５）を収集するステップと、
前記患者データ構造（１９）からの画像データ（２５）を前記修正した患者データ構造（３９）によりマッピングし直すステップと
を含んでいる請求項１記載の方法。
【請求項５】
更に、前記修正した患者データ構造（３９）を画像保管及び通信システムへ伝送するステップを含んでいる請求項１記載の方法。
【請求項６】
病院情報システム（ＨＩＳ）（１２）及び画像収集ワークステーション（１４）の両方を有している病院内医用システムにおいて患者データの完全さを改善するための方法であって、
患者識別子（２１）及び実行すべき医学的手順を含む患者データを受け取るＨＩＳ（１２）に第１のデータ入力点を設けるステップと、
イメージング・ワークステーション（１４）における患者データ構造（１９）の編集を選択的に防止して、所要の変更を前記ワークステーション（１４）から前記ＨＩＳ（１２）へ伝え、前記ワークステーション（１４）で変更を行って修正した患者データ構造（３９）を構成するようにするステップと、
前記修正した患者データ構造（３９）を前記ＨＩＳ（１２）から前記ワークステーション（１４）へ伝送するステップと、
前記ワークステーション（１４）でユーザが前記患者データ構造（１９）から前記修正した患者データ構造（３９）へ収集した画像データ（２５）をマッピングし直すことができるようにする編集ツールを提供するステップと、
を有している方法。
【請求項７】
更に、前記ワークステーション（１４）で局部的患者データ構造（１９）を入力して該局部的患者データ構造（１９）を編集することを許可するステップを含んでいる請求項６記載の方法。
【請求項８】
更に、前記患者データ構造（１９）が入力されたモードを識別する標識を前記患者データ構造（１９）に関連させるステップを含んでいる請求項６記載の方法。
【請求項９】
更に、前記患者データ構造（１９）が修正された時期及び理由に関するデータを記憶するための場所を提供するログ（２９）を、前記患者データ構造に関連して構成するステップを含んでいる請求項６記載の方法。
【請求項１０】
病院情報システム（１２）を含む病院内コンピュータ・ネットワーク（１０）において医用イメージング装置（１８）を制御する際に使用するための収集ワークステーション（１４）であって、
プロセッサ（７０）と、
前記プロセッサ（７０）に結合されていて、患者識別子（２１）及びイメージング手順（２３）を含む患者データ構造（１９）のデータベースを有しているメモリ部品（１７）と、
前記患者データ構造（１９）へデータ入力を行うと共に、前記患者データ構造（１９）の編集を行うためのユーザ入力装置（８４）と、
前記病院情報システム（１２）から患者データ構造（１９）を伝送し且つ受け取るためのネットワーク・インターフェース（７６）と、
前記プロセッサ（７０）から前記医用イメージング装置（１８）へ制御信号を伝送し、前記医用イメージング装置（１８）からイメージング・データを受け取り、また前記メモリ部品（１７）へイメージング・データを伝送するためのインターフェース（８２）と、を有し、
前記患者データ構造（１９）の各々には、該患者データ構造（１９）が前記病院情報システム（１２）で又は前記ワークステーション（１４）で最初に作成されたのかどうかを示す標識が関連させてあり、該患者データ構造（１９）が前記病院情報システム（１２）で最初に作成されたときには前記ワークステーション（１４）におけるデータの入力が禁止されること、
を特徴とする収集ワークステーション（１４）。
【請求項１１】
前記ユーザ入力装置（８４）は、前記ワークステーション（１４）に供給されて前記ワークステーション（１４）で編集される局部的患者データ構造を提供する、請求項１０記載の収集ワークステーション（１４）。
【発明の詳細な説明】
【技術分野】
【０００１】
本発明は医療施設内コンピュータ・ネットワークにおける患者情報及び医学的手順データの収集及び記憶に関するものであり、より具体的には医用イメージング・ワークステーションと共に使用される医用コンピュータ・ネットワークにおいて患者及び画像収集データを調整することに関するものである。
【背景技術】
【０００２】
病院、特に病院の放射線科で採用されているコンピュータ・ネットワークは、典型的には、患者及び手順データを入力し記憶するための病院（又は放射線科）情報システム（ＨＩＳ）と、画像収集装置を制御するための収集ワークステーションと、収集した画像データを支払い請求データのような他の情報と共に保管（アーカイブ）するための画像保管及び通信システム（ＰＡＣＳ）とを含んでいる。使用時に、患者データ及び所要のイメージング手順が、ＨＩＳシステムに入力されて、収集ワークステーションにダウンロードされるか、さもなければ伝送される。この代わりに、或いはＨＩＳでの入力に加えて、患者データをワークステーションに直接入力するか又はワークステーションで編集することができる。データを入力した後、画像がワークステーションで収集され、その収集したデータは保管及び記憶のためにＰＡＣＳに伝送される。
【発明の開示】
【発明が解決しようとする課題】
【０００３】
上記のように、この種類の医用コンピュータ・ネットワークでは、患者データ及び所要の手順は、典型的には、ＨＩＳ及び収集ワークステーションの両方の端末でユーザによって手動によって入力し又は編集することができる。データを入力し編集する能力は、医療施設におけるワークフローに融通性をもたらす点でで有利である。しかしながら、複数のデータ入力点があると、ネットワークの様々なノードに記憶されているデータ相互の間で不整合が生じることがある。例えば、ＨＩＳシステムで入力された患者の名前がワークステーションで入力された患者の名前とはスペリングが異なっていることがあり、これは適切な患者試験結果を検索するのを困難にする。その上、１つの解剖学的ビュー（ｖｉｅｗ）、例えば腰部、の画像データがワークステーションで収集されて、ＨＩＳシステムで入力された胸部又は他の解剖学的ビューについてのデータ構造の下に不正確にファイルされることが生じ得る。このような問題が生じたとき、そのビューを正しいデータと相関させることが困難になることがある。しばしば、このようなエラーは、例えば、患者について再度一組の画像を収集する必要性、過不足の支払い請求を訂正する必要性、並びにその他の管理上及び医療上の仕事のような、時間のかかる繰り返しの仕事を生じさせる。
【課題を解決するための手段】
【０００４】
医学的画像収集ワークステーション（１４）と連結する病院情報システム（ＨＩＳ）（１２）内の患者データ構造（１９）に患者及び手順データを入力する。データがＨＩＳで入力されたことを示す標識を患者データ構造に関連させ、患者データ構造をワークステーションに選択的に伝送する。ワークステーションで標識の状態をチェックし、標識がオンである場合、ワークステーションで患者データ構造を編集することが無効にされる。
【発明を実施するための最良の形態】
【０００５】
以下に図面を参照して説明する。先ず図１には、病院内コンピュータ・ネットワーク１０を示している。コンピュータ・ネットワーク１０は、メモリ１１に記憶されたデータベースを含む病院又は放射線科情報システム（ＨＩＳ／ＲＩＳ）１２と、イメージング装置１８に連結され、且つメモリ１１に記憶されたデータベースを含む画像収集ワークステーション１４と、収集した画像及び関連したデータをメモリ１７に保管させるための画像保管及び通信システム（ＰＡＣＳ）１６とを含んでいる。ＨＩＳ１２と収集ワークステーション１４とＰＡＣＳ１６とは通信ネットワーク２０を介して連結されている。通信ネットワーク２０は、例えば、イントラネット・リンク、有線ネットワーク、無線ネットワーク、或いは当業者に周知のその他の種類の通信リンクであってよい。
【０００６】
動作においては、ＨＩＳ１２は典型的には受付に配置されていて、患者データを入力する責任を持つ管理事務員によって作動される。収集ワークステーション１４は典型的には検査室又は検査区域内に設けられ、且つ前に述べたように、医用イメージング装置１８に結合されて、医用イメージング装置１８にイメージング指令を供給すると共に、画像データを収集して再構成する。検査の終了時、収集したデータは記憶するためにＰＡＣＳ１６へ伝送される。ＨＩＳ１２と収集ワークステーション１４との間でのデータの不整合を防止するために、収集ワークステーション１４は、該ワークステーションにおける編集能力を選択的に有効又は無効にするように作動される１つ以上のソフトウエア・スイッチを含んでいる。例えば、データがＨＩＳ１２に入力されたとき、ワークステーション１４におけるデータ入力及び編集が無効にされ、それによって、ＨＩＳ１２で手順の全ての追加のデータ入力及び編集を必要とすることができる。この状況では、ワークステーションに編集ツールが設けられ、該編集ツールにより、ユーザが以下に説明するように収集したデータを操作しマッピングし直すことができる。この代わりに、又はそれに加えて、「局部的（ｌｏｃａｌ）  」データ入力をワークステーション１４で行うことができ、その場合、データ入力及び編集がワークステーション１４に局限される。ここで、ワークステーション１４で局部的データを入力して保持できるように、データ入力画面（これは、トラウマ（ｔｒａｕｍａ）状況において特に有用である）をワークステーション１４に設けることができる。ＨＩＳ１２で入力されたデータの編集をＨＩＳ１２だけで行えるようにし且つ収集ワークステーション１４で入力されたデータの編集を収集ワークステーション１４だけで行えるようにすることによって、融通性とデータの完全さの両方を保持することができる。これについて以下により詳しく説明する。
【０００７】
ここで図１及び図２を参照して説明すると、ワークステーション１４は、プロセッサ７０及び関連回路、メモリ１３、並びに市販のＣＲＴモニタ又は表示装置１５を含む周辺インターフェース回路を収容するケース９と、図示のようにキーボード７８及びマウス８０の両方を含むことのできるユーザ入力装置８４とを含んでいる。ワークステーション１４はイメージング装置インターフェース８２も含んでおり、このインターフェース８２は、イメージング装置１８に接続されていて、イメージング装置１８を制御すると共に、医用イメージング装置１８から直接にディジタル化画像データを受け取る。イメージング装置としては、例えば、Ｘ線システム、Ｘ線ＣＴシステム、ＭＲＩシステム、ＰＥＴスキャナ・システム又は核医学システムであってよい。ワークステーション１４は、典型的には、医学的画像データをフィルタ処理し、医学的画像の大きさ及び配向を変換し、医学的画像にテキスト情報を追加すること等の画像処理機能を実行するアプリケーション・プログラムを内蔵している。
【０００８】
図２を参照して具体的に説明すると、ワークステーション１４は、メモリ１３に記憶された命令を実行するプロセッサ７０を含んでいる。プロセッサ７０は、例えば、市販のＲＩＳＣプロセッサであってよく、これは、ＰＣＩ母線７２との直接的なインターフェースを構成する一体のＰＣＩ母線駆動装置と、サンマイクロシステムズ社（Ｓｕｎ  Ｍｉｃｒｏｓｙｓｔｅｍｓ，  Ｉｎｃ．）から入手できるような全ての外部メモリ１３を取り扱うための一体のメモリ管理回路とを含んでいる。その他の種類のプロセッサ及び関連ハードウエア・システムも当業者にとって明らかであろう。
【０００９】
ＰＣＩ母線２４は、プロセッサ７０と多数の周辺制御器カードとの間でデータを転送する産業用の標準母線である。これらは、キーボード７８及びマウス８０からの入力を含めて、周辺装置とのデータ転送を支援するネットワーク制御器７６と、医用イメージング装置１８上のネットワーク・ポートと通信するイメージング装置インターフェース８２とを含んでいる。ワークステーション１４は更に、ＰＣＩ母線７２に結合されていると共に、標準のＶＧＡ接続部（図示していない）のような接続部を介して表示装置又はモニタ１５に結合されているグラフィックス制御器７４を含んでいる。前に述べたように、メモリ１３に記憶されているワークステーション１４のアプリケーション・ソフトウエアが、以下により詳しく説明するように、データが最初にＨＩＳ１２に入力されたときにワークステーション１４におけるデータ入力を選択的に無効にすると共に、「局部的」データ入力及び編集を規定するために局部的又はトラウマ・インターフェースをセットする１つ以上のソフトウエア・スイッチを含んでいる。アプリケーション・ソフトウエアは更に、前に述べたようにユーザが画像収集データをマッピングし直すことができるようにする患者編集ツールを含んでいる。
【００１０】
図２を参照して具体的に説明すると、医学的画像が、イメージング装置インターフェース８２に関連したイーサーネット・リンクのようなネットワーク・リンクを介してワークステーション１４に入力される。画像データはイメージング装置インターフェース８２を介してワークステーションにダウンロードされて、メモリ１３に記憶され、そこで当業者に知られている多数の画像処理機能を画像データについて実行することができる。
【００１１】
ここで図３を参照して説明すると、収集した画像データは、好ましくは、ワークステーション１４のメモリ１３内の患者データ構造１９に記憶される。一実施形態では、患者データ構造１９は階層構造又は「フォルダ」を有しており、その中で最高レベルは患者識別子２１である。患者識別子２１は典型的には患者の名前で構成されるが、社会保障番号、電話番号、受入番号、又はその他の識別データを使用することもできる。最高レベルの下には、被検体について実行すべきイメージング手順又はその他の医学的手順２３を含む識別した患者に関するデータが記憶される。患者について実行された医学的手順２３の結果が収集されたとき、この収集データ２５もまた、典型的にはその手順の直ぐ下のレベルで患者データ構造１９内に記憶される。また、フラグ２７が患者データ構造１９に関連しており、フラグ２７は患者データ構造１９がＨＩＳ１２で入力されたときにセットされて、ワークステーション１４が局部的に入力されたデータとＨＩＳ１２で入力されたデータとを区別できるようにする。患者データ構造１９はまた、該構造内の変更に関するコメントを供給することのできるログ（ｌｏｇ）  ２９も含んでいる。データ構造１９はデータを編成する一つの方法を例示しているが、患者データを編成する方法には多数の代替方法があることが明らかである。更に、患者データ構造１９をワークステーション１４に関連して説明するが、同様な患者データ構造１９をＨＩＳ１２、ワークステーション１４及びＰＣＳ１６の各々に設けて、病院内コンピュータ・ネットワーク１０を通してデータの完全さを保持することが好ましい。
【００１２】
前に述べたように、患者データ構造１９のためのデータは、ＨＩＳ１２で供給されて、通信ネットワーク２０を介して画像収集ワークステーション１４に伝送するか、或いはワークステーション１４に「局部的」データとして直接入力することができる。データがＨＩＳ１２で入力されたとき、フラグ２７がセットされて、データ入力が無効にされていることをワークステーション１４に通知する。ワークステーション１４においては、患者データ１９が表示画面上で又は「患者情報カード」として供給され、患者識別データ及びその他のデータを含むと共に、また画像収集を要求する医学的手順の「ワークリスト」も含んでいる。画像を収集した後、画像データ２５は患者データ構造１９内に、典型的には手順２３自身の下のレベルに記憶される。画像を含む患者データ構造１９は次いでＰＡＣＳ１６に伝送されて、その中に、典型的には患者介護及びサービスに関係した支払い請求及びその他のデータと共に、記憶され、好ましくは保管される。データが最初にＨＩＳ１２で入力されたとき、ワークステーションにおける編集を、以下に説明するように、無効にすることが好ましい。
【００１３】
ここで図４及び図５を参照して説明すると、患者データ構造１９内のデータを編集するためのワークフローを、上述の２つの状況の各々について示している。図４では、データ入力がＨＩＳ１２で行われ、ワークステーション１４における編集能力が無効にされて、患者データ構造１９に対する変更をＨＩＳ１２から供給しなければならないようにする。図５では、ワークステーション１４における患者データ構造の編集能力が有効にされて、「局部的」患者データの入力及び編集を可能にする。本システムが使用される病院、診療所又は放射線科に依存して、ＨＩＳ１２及びワークステーション１４における編集能力の様々な組合せが、これらの編集能力を、いずれかを永久的にして、或る時間的予定で選択的に作動し（すなわち、ＨＩＳ１２が閉じているときのみワークステーション１４への局部的データの入力を許可し）、或いはケース・バイ・ケースで選択的に作動することによって、提供され得る。ケース・バイ・ケースでは、例えば、「トラウマ」状況が含まれることがあり、「トラウマ」状況では、前に述べたように、最初にデータをＨＩＳ１２で入力することなく、医学的プロセスへ、従って、収集ワークステーション１４へ直ちに進むことが望ましい。
【００１４】
ここで図４について詳しく説明すると、患者データ構造１９がＨＩＳ１２で最初に構成されていてワークステーション１４での編集が無効にされるプロセスのためのワークフロー手順が示されている。ここで、データの完全さは、データ入力を単一の場所すなわちＨＩＳ１２で実行することを要求することによって保持される。最初に、ステップ５０で、ワークステーション１４が内部チェックを行って、ワークステーション１４におけるＨＩＳデータの編集を無効にするためのソフトウエア・スイッチがセットされているか否か判定する。セットされていない場合、ワークステーション１４における全てのデータの編集が許可される（ステップ５２）。ソフトウエア・スイッチがセットされている場合、ステップ５４での第２のチェックが行われて、選択した患者データ構造についてＨＩＳフラグ２７がセットされているか否か判定する。セットされていない場合、データは局部的データであり、後で説明する図５の手順に続く（ステップ５８）。ＨＩＳフラグ２７がセットされている場合、ステップ５６で、患者データが編集不可能な形式で表示される。ステップ２４で、ワークステーション１４を動作させる技術者が、ワークステーション１４の表示装置１５で患者データ及び関連したワークリストの手順を再検討する。ステップ２６で、技術者は、データが正しいか否かに関して判定を行う。データが正しくなく、訂正が必要とされている場合、技術者は、ワークステーションのメモリ１３（図１及び図２）内のデータベースに更新した手順があるか探すことによって、更新又は訂正した手順が既にワークステーション１４に存在するか否か検証することができる（ステップ２８）。更新又は訂正した手順（２８）が存在していない場合、ステップ３０で、技術者は、ＨＩＳ１２において手順を作成するためのアクセス権を持つ管理事務員を呼び出して、修正した又は訂正した手順を要求する（ステップ３０）。管理事務員は修正した手順を作成し、患者データ構造１９内に設けられたログ２９に、患者データ構造１９に対して何を行ったか、及びその理由を示すコメントを供給する。次いで、修正した患者データ構造３９はワークステーション１４に伝送して表示装置１５上に表示することができる。
【００１５】
訂正が行われた後、技術者は新しい又は訂正した患者データ構造３９を選択し、そして全ての画像が既に収集されているか否か、又は追加の画像を収集する必要があるか否かを判定する（ステップ３２）。画像を収集する必要がある場合、技術者は、典型的には表示装置１５上のワークリストによって定義された逐次的な手順毎に、データを収集するように進む（ステップ３４）。これらの画像は訂正した又は修正したデータ構造３９内に記憶されるので、収集の完了時、技術者はデータを保管させることができる（ステップ４０）。
【００１６】
データが既に収集されている場合は、ステップ３６で、技術者は患者／手順編集ツールを選択し、該ツールにより、技術者は古い正しくない患者データ構造１９から訂正した又は修正した患者データ構造３９へデータを移動させて、保管の前にエラーを訂正することができる（ステップ３８）。また患者／手順編集ツールにより、技術者は古い患者データ構造１９から新しい患者データ構造３９へ既存のデータを手動でマッピングすることができ、そこで、ステップ４０で、本プロセスで収集された全ての画像データが、訂正した患者データ構造の下に保管される。従って、例えば、もし古い手順が「腰部」手順を含んでおり且つ代わりに胸部についてデータが収集された場合、胸部の画像は技術者によって、例えば、当業者に公知のドラッグ・アンド・ドロップ・アイコンやその他の方法を使用してドット・ポータル・データ構造１９及び新しい患者データ構造３９を選択し且つ訂正ボタンを選択することにより、訂正した患者データ構造内のリストにある「胸部」手順へ手動で移動させることができる。訂正した患者データ構造３９が存在している場合、「ポップアップ」ウィンドウを表示して、希望する場合又は必要な場合には古い患者データ構造１９を削除するように技術者に対して警告することができる。
【００１７】
ステップ２６に戻って説明すると、患者データ構造１９内の最初のデータが正しい場合、技術者はワークリストから一手順を選択して（ステップ４２）、データを収集する（ステップ４４）ように進行させる。ステップ４６で、技術者は患者データ及び収集したデータを再検討して、何らかの訂正が必要であるか否か再び判定する。訂正が必要である場合、本ワークフローはステップ３８に戻り、前に述べたように、古い患者データ構造の下に収集されたデータを新しい患者データ構造へマッピングする手順を用意する。そうでない場合、何らの訂正も必要とされず、技術者はステップ４０へ進行させ、既存の患者データ構造１９にデータを保管させることができる。
【００１８】
ここで図５について説明すると、局部的データを編集するためのワークフローが示されている。前に述べたように、局部的に管理されるデータは、最初のステップとして患者データを得るよりもむしろ患者の介護に直接に進むことが望ましい「トラウマ」状況において特に望ましいことがある。ステップ５４（図４）で、データがＨＩＳ１２で入力されなかったことを検証するためのチェックが行われた。入力されなかった場合、技術者は局部的に又は手動で入力された手順のリストを再検討して（ステップ６０）、リストから実行すべき手順を選択し、或いは新しい入力を「患者情報カード」に供給して、データ収集へ進むことができる。画像を取得した後、ステップ６２で、患者データ構造１９内にエラーが存在することを技術者が気付いた場合、技術者は編集機能を選択することができ（ステップ６４）、編集機能は編集のために患者情報カードを開放する（ステップ６６）。ステップ６８で、画像は訂正した患者データ構造３９の下に保管される。再び、ポップアップ・ウィンドウが表示されて、希望する場合又は必要な場合には古い患者データ構造１９を削除するように技術者に催促する。このアプリケーションでは、ユーザは、新しい患者データ構造を作成することを必要とせずに、データの収集の前に何時でも患者データ構造を直接に変更することができる。ワークステーション１４に記憶されている局部的に入力されたデータはまた、ＰＡＣＳ１６でデータを保管する前にＨＩＳ１２を介して入力された患者データ構造１９に相関させ又はマッピングすることができ、これによってＰＡＣＳ１６でデータを訂正する必要性がないようにする。これは、ＨＩＳ１２からの患者データ構造１９の伝送を必要とすると共に、前に図３に関して説明したようなプロセス・ステップを必要とする。
【００１９】
前に述べたようにワークフローを提供することによって、本発明は、適切な患者識別子、保険情報及び画像収集データを相関させて、ＰＡＣＳシステム１６に記憶させる前にデータの不整合を防止するように患者データをマッピングし直すことを可能にする。これは、図４に示されているように、ＨＩＳ１２で最初に作成されたデータをワークステーションで編集することを防止することによって達成される。しかしながら、局部的にワークステーション１４で最初に作成されたデータは、図５に示されるように、編集することができる。データ入力エラーを防止することによって、システムはデータ不整合のエラーを防止することができる。もしエラーに対処しなかった場合には、診断上及び支払い請求上の問題、データ収集手順の繰り返しが必要とされるような医学的データの消失、及び時間を浪費させてシステムの効率を悪くするその他のエラーが生じることがある。
【００２０】
特に、上述したワークフローは多数の共通した問題を最小限にするのに役立つ。例えば、患者データがワークステーション１４又はＨＩＳ１２のいずれかで不正確に入力され、且つ画像がワークステーション１４で収集された場合、これらの画像は訂正した患者データ構造３９にマッピングし直して、これにより支払い請求、診断上の再検討、又は保険業者に関する問題を防止することができる。更に、画像が間違った手順の下に収集されて、実際の解剖学的ビューと期待していた解剖学的ビューとに不整合を生じた場合、画像データを正しい手順にマッピングし直すことができる。更に、ワークフローは、実際の患者識別情報を収集する前に「擬似」患者データを入力することが必要である「トラウマ」状況を規定する。「擬似」データはまた、上述したような手順に従って、ＰＡＣＳ１６に保管する前に完全な患者データ構造にマッピングすることもできる。
【００２１】
上述したワークフローはまた、データ入力をＨＩＳ１２に限定することによってデータの完全さを保持し、且つワークステーション１４での手動の更新を防止するのに役立つことができる。データが唯一つの場所で入力されるので、ＨＩＳ１２とワークステーション１４との間でデータの不整合が起こりえない。
【００２２】
上述したように、特定の病院内コンピュータ・システム１０について説明したが、上述したワークフローの原理は任意の数の複数のコンピュータ・システムに適用することができる。更に、イメージング装置１８は、Ｘ線、ＭＲＩ、ＰＥＴ、超音波、又はその他のイメージング・プロセスを含む任意の数のイメージング・モダリティを提供することができる。
【図面の簡単な説明】
【００２３】
【図１】病院内コンピュータ・ネットワークのブロック図である。
【図２】図１の病院内コンピュータ・ネットワークに使用するためのワークステーションのブロック図である。
【図３】患者データ構造のブロック図である。
【図４】ワークステーションにおける編集が無効にされているときに図１のワークステーションで画像を収集するためのワークフロー図である。
【図５】図１のワークステーションで局部的データを編集するための編集手順のワークフロー図である。
【符号の説明】
【００２４】
９  ケース
１０  病院内コンピュータ・ネットワーク
１１、１３、１７    メモリ
１２    病院又は放射線科情報システム（ＨＩＳ）
１４    収集ワークステーション
１５    表示装置
１６    画像保管及び通信システム（ＰＡＣＳ）
１９    患者データ構造
２０    通信ネットワーク
３９  修正した患者データ構造
７８    キーボード
８０    マウス
８４    ユーザ入力装置
【図１】
2004167235.tif 000003
【図２】
2004167235.tif 000004
【図３】
2004167235.tif 000005
【図４】
2004167235.tif 000006
【図５】
2004167235.tif 000007
【外国語明細書】
2004167235000001.pdf